(57)【要約】【課題】棚板の前部近傍の少スペースに、照明具を目立せずに見栄え良く配置して、棚板上の商品を良好に照明することができると共に、アイキャッチ性に優れた陳列棚用照明具を提供する。【解決手段】照明具１は、帯状の回路基板４上に複数のＬＥＤ３と電源回路を所定の間隔をおいて１列に実装してなるＬＥＤユニットを、断面Ｃ型のチャンネル材状に形成された内ケース５内に収納する。内ケース５の外側に外ケース７が装着され、その下側の開口部からＬＥＤ３を露出させる。外ケース７の開口部に透明板１７が嵌着される。透明板１７の下面の正面寄りに、アイキャッチ用の透明突条部１７ａが長手方向に沿って突設される。透明突条部１７ａの正面側に着色透光シート１７ｂが長手方向に沿ってライン状に設けられ、着色透光シート１７ｂを通して色彩光ラインが正面に向けて現れる。【選択図】図１
2010213923.tif 000002
【特許請求の範囲】
【請求項１】
商品陳列棚の棚受けに支持された棚板の前部に配設される陳列棚用照明具において、
細長い棒状のケース内に配設されたＬＥＤを発光させて照明する照明具と、
該照明具を挟持する挟持部を有すると共に、該棚受けの一部に嵌合される棚受け嵌合部を有し、該照明具を該棚受けに対し取り付ける１対の取付部材と、
を備え、
該照明具は、帯状の回路基板上に複数のＬＥＤと電源回路を所定の間隔をおいて１列に実装してなるＬＥＤユニットを、断面Ｃ型のチャンネル材状に形成されたケース内に、該ケースの開口部から該ＬＥＤを露出させた状態で装着し、該開口部に透明板を嵌着して構成され、
該透明板の下面の正面寄りに、アイキャッチ用の透明突条部が長手方向に沿って突設され、該透明突条部に着色透光層が長手方向に沿ってライン状に設けられたことを特徴とする陳列棚用照明具。
【請求項２】
前記ＬＥＤには高輝度白色発光ダイオードが使用され、前記透明板に形成される透明突条部は、その横断面形状が略直角三角形に形成され、前記着色透光層が該透明突条部の正面側の該直角三角形の斜辺部に対応した斜面に形成されたことを特徴とする請求項１記載の陳列棚用照明具。
【請求項３】
前記透明突条部が前記透明板の下面の正面寄りに透明接着剤により接着され、該透明突条部の着色透光層が、着色されて透光性を有する着色透光シートを該透明突条部の斜面に接着して形成されたことを特徴とする請求項２記載の陳列棚用照明具。
【請求項４】
前記回路基板には電源線がコネクタを介して接続され、該コネクタが前記ケース内に収納され、該コネクタを収納した該ケースにはコネクタカバーが開閉可能に取り付けられたことを特徴とする請求項１記載の陳列棚用照明具。
【発明の詳細な説明】
【技術分野】
【０００１】
本発明は、商品陳列棚に取り付けられ、陳列された商品を照明する一方、優れたアイキャッチ性を有する陳列棚用照明具に関する。
【背景技術】
【０００２】
スーパーマーケット、ホームセンターなどで使用される商品陳列棚には、多数の棚板が設けられ、各棚板の前部に、棚板に陳列される商品を照明するために、照明器具が取り付けられる場合がある。この種の陳列棚用照明具として、従来、蛍光灯が使用され、棚板の前縁部に蛍光灯を下向きに取り付け、下側の棚板に陳列された商品を、蛍光灯式の照明具により照明するようにしている（例えば下記特許文献１を参照）。
【先行技術文献】
【特許文献】
【０００３】
【特許文献１】特開２００１−２９１８９号公報
【発明の概要】
【発明が解決しようとする課題】
【０００４】
しかし、蛍光灯式の照明具は、規格化されて長さが予め決められた蛍光灯を使用するため、任意の横幅を有する棚板の全体を均一に照明するために、照明具を棚板の前縁部の全横幅にわたるように装着しようとした場合、棚板の横幅に対し照明具の長さが短く或いは長くなり、照明具を使用可能な横幅を有する棚板が制限される問題があった。
【０００５】
また、蛍光灯式の照明具は、大きく重い安定器が必要となるため、棚板の裏側などに安定器用のケースを取り付け、そのケース内に安定器を収納することになる。このため、安定器用のケースやそれを取り付けるためのスペースが必要となり、汎用的な商品陳列棚の棚板に、蛍光灯式の照明具を簡単に取り付けることは
難しいという課題があった。
【０００６】
さらに、蛍光灯式の照明具に透光性着色カバーを嵌めて、アイキャッチ効果を持たせようとした場合、蛍光灯式照明具は、直管蛍光灯の周囲に光を放射し、その照明光の多くの部分を着色カバーにより着色して照射するため、照明する商品に色が映り込む結果となり、商品の照明効果が悪化し、アイキャッチ効果もあまり得られないという課題があった。
【０００７】
本発明は、上記の点に鑑みなされたもので、棚板の前部近傍の少スペースに、照明具を目立せずに見栄え良く配置して、棚板上の商品を良好に照明することができると共に、アイキャッチ性に優れた陳列棚用照明具を提供することを目的とする。
【課題を解決するための手段】
【０００８】
上記目的を達成するために、本発明の請求項１の陳列棚用照明具は、
商品陳列棚の棚受けに支持された棚板の前部に配設される陳列棚用照明具において、
細長い棒状のケース内に配設されたＬＥＤを発光させて照明する照明具と、
該照明具を挟持する挟持部を有すると共に、該棚受けの一部に嵌合される棚受け嵌合部を有し、該照明具を該棚受けに対し取り付ける１対の取付部材と、を備え、
該照明具は、帯状の回路基板上に複数のＬＥＤと電源回路を所定の間隔をおいて１列に実装してなるＬＥＤユニットを、断面Ｃ型のチャンネル材状に形成されたケース内に、該ケースの開口部から該ＬＥＤを露出させた状態で装着し、該開口部に透明板を嵌着して構成され、
該透明板の下面の正面寄りに、アイキャッチ用の透明突条部が長手方向に沿って突設され、該透明突条部に着色透光層が長手方向に沿ってライン状に設けられたことを特徴とする。
【０００９】
この発明によれば、帯状の回路基板にＬＥＤと電源回路を実装してなる照明具は、非常に細く且つ任意の長さに形成することができる。また、蛍光灯のように安定器を収納する大形ケースは不要となり、薄い棚板の前部に細い照明具を一体化するように配置し、棚板上の商品への視線を遮ることなく、すっきりした状態で照明することができる。また、ＬＥＤを使用するため、他の照明器具に比して、消費電力は少なく、長寿命での使用が可能となる。
【００１０】
さらに、ＬＥＤの照明光は、回路基板上のＬＥＤからケースの開口部を通して下方の棚板上の商品に照射されるが、その開口部の透明板に設けられた透明突条部にもＬＥＤの照明光が入射する。透明突条部に入射した光は正面（前面）のライン状の着色透光層を通して線状着色光となり、高輝度の色彩光ラインとして正面に向けて照射される。このため、陳列棚の正面近傍において、顧客の視線は、この高輝度の色彩光ラインに良く捉えられ、アイキャッチ効果を良好に発揮することができる。また、着色透光層は透明板の下面の透明突条部に設けられるため、色彩光ラインの色を変えたい場合、透明板をケースに対し付け替えるだけの簡単な操作で色の変更を行なうことができる。
【００１１】
請求項２の発明は、上記請求項１の陳列棚用照明具において、上記ＬＥＤには高輝度白色発光ダイオードが使用され、上記透明板に形成される透明突条部は、その横断面形状が略直角三角形に形成され、上記着色透光層が透明突条部の正面側の該直角三角形の斜辺部に対応した斜面に形成されたことを特徴とする。
【００１２】
この発明によれば、ケース内の回路基板に実装されたＬＥＤから放射された高輝度の白色光が、ケースの開口部に嵌着された透明板を通して放射される際、透明板に設けられた透明突条部に高輝度の照明光が入射し、直角三角形断面の透明突条部の着色透光層を通して、色彩光ラインが前方に効率よく出射する。これにより、顧客の視線は、陳列棚用照明具の正面に、水平ライン状に現れる色彩光ラインに効果的に捉えられ、アイキャッチ効果をさらに良好に発揮することができる。
【００１３】
請求項３の発明は、上記請求項２の陳列棚用照明具において、上記透明突条部が透明板の下面の正面寄りに透明接着剤により接着され、該透明突条部の着色透光層が、着色されて透光性を有する着色透光シートを該透明突条部の斜面に接着して形成されたことを特徴とする。
【００１４】
この発明によれば、簡単に透明突条部を透明板の適正位置に形成し、その斜面に着色透光シートを接着して、着色透光層を簡単に形成することができる。
【００１５】
請求項４の発明は、上記請求項１の陳列棚用照明具において、上記ＬＥＤの回路基板には電源線がコネクタを介して接続され、該コネクタが上記ケース内に収納され、該コネクタを収納した該ケースにはコネクタカバーが開閉可能に取り付けられたことを特徴とする。
【００１６】
この発明によれば、ケース内に収納した電源線のコネクタを、ケースの開口部から露出させずにカバーし、見栄えをよくすることができる。
【発明の効果】
【００１７】
本発明の陳列棚用照明具によれば、棚板の前部近傍の少スペースに、照明具を目立せずに見栄え良く配置して、棚板上の商品を良好に照明することができ、しかも、開口部の透明板に設けられた透明突条部の着色透光層を通して、高輝度の色彩光ラインが照明具の長手方向に沿って、正面に現われるので、この色彩光ラインの出現により、顧客の視線を効果的に捉えられ、アイキャッチ効果を良好に発揮することができる。
【図面の簡単な説明】
【００１８】
【図１】本発明の一実施形態を示す陳列棚用照明具の斜視図である。
【図２】同陳列棚用照明具を斜め上方から見た斜視図である。
【図３】同陳列棚用照明具の正面図である。
【図４】同陳列棚用照明具の分解斜視図である。
【図５】図４のV-V断面図である。
【図６】（ａ）は図３の拡大VIａ-VIａ断面図、（ｂ）は図３の拡大VIｂ-VIｂ断面図である。
【図７】コネクタカバーを開き、電源コードを嵌め込んだ外キャップを外した状態の部分拡大斜視図である。
【図８】外キャップを嵌めコネクタカバーを開いた状態の照明具の斜視図である。
【図９】コネクタカバーを閉じた状態の同照明具の斜視図である。
【図１０】使用状態を示す左側面図である。
【図１１】他の実施形態の陳列棚用照明具を斜め上方から見た斜視図である。
【図１２】他の実施形態の使用状態を示す左側面図である。
【図１３】同照明具の拡大断面図である。
【発明を実施するための形態】
【００１９】
以下、本発明の一実施形態を図面に基づいて説明する。図１、２は陳列棚用照明具の斜視図を示し、図４はその分解斜視図を示している。この陳列棚用照明具の照明具１は、基本的には、ＬＥＤ灯具２を有した照明具１と、照明具１を陳列棚に取り付けるための１対の取付部材１０とから構成される。
【００２０】
照明具１は、細長い棒状の内ケース５内に、回路基板４にＬＥＤ３を実装したＬＥＤユニットを取り付け、その両端部に内キャップ６を嵌着してなるＬＥＤ灯具２と、ＬＥＤ灯具２の内ケース５の外側に嵌着される外ケース７と、外ケース７の両端部に嵌着される外キャップ８と、を備えている。取付部材１０は、照明具１の両端部に長手方向の外側から挿入され、その挟持部１２により照明具１の端部を挟持するように、且つその長さ位置を調整可能に嵌着される。
【００２１】
ＬＥＤ灯具２は、その内ケース５内にＬＥＤユニットを組み込み、内ケース５の両側に内キャップ６を嵌着して構成される。内ケース５は、横断面を略Ｃ型とする長尺のチャンネル材状に形成され、その内側に、帯状の回路基板４上にＬＥＤ３を実装したＬＥＤユニットが、内ケース５の下側開口部からＬＥＤ３を露出させるように組み込まれている。回路基板４上には、複数のＬＥＤ（高輝度白色発光ダイオード）３が間隔をおいて１列に配置され、プリント回路と共に基板上に実装されている。
【００２２】
また、図５に示すように、回路基板４におけるＬＥＤ３の実装面と反対側の面には、直流変換回路４ａが実装されている。このＬＥＤユニットは、商用電源のＡＣ１００Ｖの交流電源を電源とするため、直流変換回路４ａにより交流を直流に変換（整流）すると共に、電圧を降圧させ、ＬＥＤ駆動用の例えばＤＣ１２Ｖに変換するように構成されている。直流変換回路４ａは非常に小形の抵抗素子、半導体素子などから形成されて回路基板４に実装され、ＬＥＤユニットの幅と厚さは、幅約１５ｍｍ、厚さ約８ｍｍと非常に小型、薄形に形成されている。
【００２３】
また、このようなＬＥＤユニットは、ＬＥＤ３の実装数を変え、帯状の回路基板の長さを変えることにより、任意の長さに簡便に製造することができる。さらに、ＬＥＤ灯具２の内ケース５の内面と回路基板４の表面は、生地色を白色とし、或いは白色塗装を施して、ＬＥＤ３の光が良好に反射され、開口部から照射されるようになっている。
【００２４】
図７に示すように、ＬＥＤ灯具２のＬＥＤユニットに接続される電源線２ａは、一方の内キャップ６に設けた導出孔から引き出され、電源線２ａの先端に３線用のコネクタ２ｂが接続される。コネクタ２ｂの入力側には、アースを含む３線の電源コード２ｄ用のコネクタ２ｃが接続され、電源コード２ｄは、照明具１の外キャップ８のコード挟持部８ｂを通して、外部に引き出されることとなる。コネクタ２ｂ、２ｃはコネクタケース９に収納され、コネクタケース９の下側開口部にはコネクタカバー９ａがヒンジ部を介して開閉可能に取り付けられている。
【００２５】
なお、コネクタケース９は、図７に示すように、内ケース５とは分離して形成されているが、コネクタケースを内ケースと一体に形成し、内ケース内にコネクタ２ｂ、２ｃを収納するようにし、コネクタを収納する内ケースの部分に、コネクタカバーを開閉可能に取り付けることもできる。
【００２６】
ＬＥＤ灯具２の内ケース５の外側に、照明具１の外殻を形成する長尺の外ケース７が被せられる。外ケース７は、図４に示すように、横断面を略Ｃ型としたチャンネル材状に形成され、長手方向に沿って開口部が形成され、その開口部から上記ＬＥＤ３が露出するように、ＬＥＤ灯具２が外ケース７内に、タイトに差し込まれて組み付けられる。コネクタ２ｂもこの外ケース７内に収納され、外ケース７の両端部には、外キャップ８が嵌着される。
【００２７】
外ケース７の長手方向に沿った下側の開口部には、図４、図６に示す如く、透明合成樹脂板（例えばアクリル板）からなる透明板１７（図４）が嵌め込まれる。この透明板１７には図４，６の如く、その正面寄りの下面に、横断面を直角三角形とした透明突条部１７ａがその長手方向に沿って突設されている。この透明突条部１７ａは、別個に成形した三角柱状の部材を透明板１７の下面に、透明接着剤により接着して形成するが、透明板１７と一体に成形することもできる。また、透明突条部１７ａの斜面（直角三角形断面の斜辺部に対応した面）は、照明具１の正面側を向くように配置され、さらに透明突条部１７ａの斜面には、アイキャッチ効果を発揮するために、着色透光層として着色透光シート１７ｂが透明接着剤により接着されている。
【００２８】
この着色透光シート１７ｂは、赤色、青色、黄色などに着色された透光性を有するシートであり、ＬＥＤ３から照射された白色光を透明板１７、透明突条部１７ａを通して入射させ、着色光として、照明具１の正面側（前面側）に光を放射するものである。着色透光シート１７ｂは例えば幅８ｍｍ程度の細い帯状シートであり、正面視では約５ｍｍの色彩光ラインを、照明具１の前部に水平に発生させ、顧客の視線を捉えるように機能する。なお、着色透光シート１７ｂにより形成した着色透光層は、顔料を添加した透明合成樹脂により構成し、或いは透光性の塗料を透明突条部１７ａに塗布して形成することもできる。
【００２９】
図７に示すように、外キャップ８には１対の係止爪８ａが突設され、その係止爪８ａを外ケース７内端部に差し込むだけで、外キャップ８を嵌着できるようになっている。さらに、図７に示すように、外キャップ８には電源コード２ｄを挟持するためのコード挟持部８ｂが両側に対向して設けられ、電源コード２ｄは、コード挟持部８ｂの内側を通して照明具１から引き出され、外キャップ８を外ケース７の端部に嵌め込むことにより、更にコード挟持部８ｂが電源コード２ｄをきつく挟持する構造となっている。
【００３０】
さらに、外ケース７の外側面（正面と背面）には、図４、図６ａのように、複数の係合溝７ａが長手方向に沿って形成されている。この係合溝７ａは、外ケース７の外側面に複数の突条を、間隔をおいて長手方向に形成することにより、外側面に形成さる。また、これらの係合溝７ａと突条によって、外ケース７に冷却機能を持たせ、且つ外ケースの補強機能を持たせている。
【００３１】
つまり、外ケース７は、アルミニウムの押し出し加工により形成され、図６に示すように、深い係合溝７ａの間に形成される複数の突条が冷却用リブ及び補強用リブとして機能することとなる。これにより、内ケース５内のＬＥＤ３から発生する熱を、アルミニウムの外ケース７を通して周囲に効率良く放熱して、ＬＥＤ３の温度上昇を抑え、外ケース７の長手方向の曲げ強度を向上させる構造となっている。
【００３２】
さらに、外ケース７の係合溝７ａは、取付部材１０の突条１３がタイトに嵌入可能な形状に形成されている。図１、４、６に示す如く、取付部材１０の挟持部１２は１対の挟持片１２ａを外ケース７の前後幅の間隔をあけて突設して形成され、照明具１の外キャップ８の外側から、その挟持部１２の内側に外キャップ８及び外ケース７の端部を嵌入して、照明具１の両端部に装着されるようになっている。このために、取付部材１０の挟持片１２ａの内側面に、２本の突条１３が長手方向に沿って且つ間隔をあけて突設されている。
【００３３】
上記のように、取付部材１０を照明具１の両端部に嵌め込む際、突条１３は、照明具１の外ケース７の係合溝７ａにその端部から差し込んで嵌合されるようになっており、さらに、取付部材１０の先端部には、棚受け嵌合部１１が、棚受け３１の上縁部に対し上から嵌め込むように、図３の如く、正面視で鉤型に形成されている。
【００３４】
つまり、取付部材１０の棚受け嵌合部１１は、棚受け３１が棚受け嵌合部１１内に下側から隙間なく嵌入するように形成されている。また、取付部材１０の１対の挟持片１２ａ，１２ａは、その上縁部の一部が、連結部１４によって連結され、１対の挟持片１２ａ，１２ａ間に強力なばね弾性の挟持力が生じるようになっている。
【００３５】
また、取付部材１０と外ケース７間は、長手方向に沿って平行に形成された突条１３と係合溝７ａが摺動可能に嵌合されるため、取付部材１０の先端部つまり棚受け嵌合部１１の位置は、嵌め合わせた状態で図１に示す如く、外ケース７上で取付部材１０を摺動させることにより、その長さ方向に調整することができる。このため、この照明具１は、両側の棚受け３１、３１間のピッチが異なる陳列棚に対して、ある程度の範囲で、適用可能とされる。
【００３６】
上記構成の陳列棚用照明具を組み立てる場合、先ずＬＥＤ灯具２を組み立てるが、ＬＥＤ灯具２は、内ケース５の内部に、ＬＥＤ３とその電源回路となる直流変換回路４ａを実装した回路基板４を、組み付け、内ケース５の両端部に内キャップ６を嵌着する。図７に示すように、電源線２ａは一方の内キャップ６に設けた導出孔から引き出され、電源線２ａの端部にはコネクタ２ｂが接続され、コネクタ２ｂの入力側には、商用電源用のコネクタ２ｃが接続される。コネクタ２ｃの入力側には電源コード２ｄが接続されている。
【００３７】
次に、ＬＥＤ灯具２の外側に外ケース７を覆うように嵌着し、その下面の開口部に、着色透光シート１７ｂを設けた透明突条部１７ａ付きの透明板１７（図４）を嵌め込み、図７，８，９のように、外ケース７の両端部に外キャップ８を嵌着し、照明具１が完成する。ＬＥＤ灯具２用の電源コード２ｄ（コネクタ２ｃに接続されたコード）は、図８に示すように、外キャップ８のコード挟持部８ｂで挟持され、外キャップ８の下側から引き出される状態となる。コネクタ２ｂ、２ｃを収納したコネクタケース９のコネクタカバー９ａは、図９のように閉鎖される。
【００３８】
そして、照明具１の両端部に、取付部材１０が嵌着される。取付部材１０は、図１などに示すように、その挟持部１２の１対の挟持片１２ａ，１２ａにより、照明具１の外ケース７の端部を挟むように、端から挿入される。このとき、挟持片１２ａ，１２ａの内側に突設された突条１３が外ケース７の外側面の係合溝７ａに嵌合するように嵌め込まれ、陳列棚用照明具が完成する。
【００３９】
このとき、取付部材１０は、照明具１の両端部をその挟持部１２により挟み込み、相対的に照明具１に挟持されることとなるが、照明具１に対し取付部材１０はその長手方向に摺動可能となっている。このため、実際に装着する陳列棚の棚受け３１，３１間のピッチに合わせて、取付部材１０の突き出し長さ位置を調整することとなる。
【００４０】
取付部材１０の位置を調整された取付部材１０付き照明具１は、図１０に示すように、商品陳列棚の棚受け３１、３１の先端部分に、その取付部材１０の棚受け嵌合部１１を上から嵌め込むように、嵌着する。これにより、陳列棚用照明具は、棚受け３１、３１の先端部に水平に取り付けられ、棚板３２が棚受け３１、３１間上に、水平に取り付けられる。棚板３２は、照明具１の隣接位置から、支柱３３までの空間に取り付けられるが、照明具１の上に棚板３２の前縁部を載置するように棚板３２を取り付けることもできる。
【００４１】
なお、図１０では、照明具１を棚受け３１，３１に対し、そのＬＥＤ３の照射光を下方に向けるように取り付けたが、照明具１の両端部に取り付けた取付部材１０、１０を、上記とは上下逆向きに取り付け、ＬＥＤ３の照射光を上方に向けるように取り付けることもできる。つまり、取付部材１０の両挟持片１２ａ，１２ａの横断面形状は、図６のように、その中心軸を軸に点対称形状に形成されており、取付部材１０を、その中心軸を軸に１８０度回転させた状態（上下を反転した状態）でも、取付部材１０を照明具１の両端部に嵌着することができる。
【００４２】
陳列棚の使用時、照明具１のＬＥＤ灯具２が点灯されると、ＬＥＤ灯具２のＬＥＤ３から照射された白色光が照明具１の細い開口部から下方に向けて放射され、下側の棚板３２上の商品を照明する。ＬＥＤ灯具２から照射される白色光はＬＥＤ３の前面から効率良く放射され、高い輝度で下方の棚板上の商品を照明し、陳列品の陳列効果を向上させることができる。
【００４３】
さらに、ＬＥＤ灯具２から放射された高輝度の白色光は、その下方の開口部に嵌着された透明板１７を通して放射される際、透明板１７に設けられた透明突条部１７ａにその照明光が入射し、直角三角形断面の透明突条部１７ａにおける斜辺部に対応した斜面の着色透光シート１７ｂを通して着色光が出射され、照明具１の正面に、美しく光る色彩光ラインが発生する。これにより、陳列棚の方向を見た顧客の視線は、この色彩光ラインに効果的に捉えられ、アイキャッチ効果を良好に発揮し、顧客の注意を惹くことができる。
【００４４】
また、ＬＥＤ３は同じ輝度の蛍光灯と比べ、その動作電流、電圧共に低いため、消費電力は少なく、陳列棚の照明を経済的に行うことができる。さらに、上述のように、取付部材１０を照明具１に対し上下反転させて取り付ければ、照明具１のＬＥＤ灯具２は上方を向き、ＬＥＤ３の照射光を上方に向けてアップライトによる照明を行うことができる。また、着色透光シート１７ｂは透明板１７の下面の透明突条部１７ａに設けられるため、色彩光ラインの色を変えたい場合、その透明板１７を、別の着色透光シート１７ｂを着けた透明板１７と付け替えるだけの簡単な操作で、色の変更を行なうことができる。
【００４５】
図１１〜図１３は他の実施形態の陳列棚用照明具を示している。この例では、上記取付部材１０に代えてアーム型取付部材２０を使用し、照明具については上記と同様の照明具１をそのまま使用する。つまり、図１１〜図１３に示すように、この陳列棚用照明具は、１対のアーム型取付部材２０により照明具１を、その挟持部２２を照明具１の外ケース７の上方から挟み込むように挟持して支持する構造である。
【００４６】
アーム型取付部材２０は、図１１、１２に示すように、アーム状棚受け嵌合部２１の先端部に、側面視をＣ形とする挟持部２２を設けて形成される。アーム状棚受け嵌合部２１は、側面視を略直角三角形状とした板状に形成される。つまりアーム状棚受け嵌合部２１は、上辺部を水平とし、下辺を傾斜させた略直角三角形状に形成され、上辺部には水平な平坦部２１ｂが形成され、その上に棚板３２を載置するようになっている。また、平坦部２１ｂの先端部に当接部２４が立設され、棚板３２の前縁部を当接部２４に当てる構造としている。
【００４７】
さらに、アーム状棚受け嵌合部２１の内部には、スリット状のスリット溝２１ａが下辺の傾斜面から上方に向けて形成され、下辺の傾斜面と背面が開口し、棚受け３１の先端部をスリット溝２１ａ内に嵌入可能としている。また、アーム状棚受け嵌合部２１の側部には、舌状係止部２５が設けられ、棚受け３１をスリット溝２１ａ内に挿入するように、アーム状棚受け嵌合部２１を棚受け３１に嵌合させたとき、棚受け３１の側部に設けた図示しない係止凹部が舌状係止部２５に係止されるようになっている。
【００４８】
アーム状棚受け嵌合部２１の先端部に一体成形された挟持部２２は、側面視をＣ形とし、側面視を円弧状とした挟持片２２ａ，２２ａが挟持部２２の前後両側に形成され、ばね弾性を持って両側の挟持片２２ａ，２２ａ間を僅かに開口可能としている。そして、図１３に示すように、挟持部２２の内側には、上記の照明具１が挿入可能とされ、挿入された照明具１を前後から（正面と背面から）挟持片２２ａ，２２ａ間で挟み挟持する構造となっている。また、挟持部２２の両挟持片２２ａの内側には、各々複数（２本）の突条２３が左右方向に、つまり挟持される照明具１の長手方向に向けて形成され、挟持部２２が照明具１の外ケース７の外側に嵌め込まれたとき、外ケース７の係合溝７ａに突条２３が嵌合する。
【００４９】
なお、両挟持片２２ａの内側面は、側面視を円弧状に形成され、その円弧に対応して、照明具１の外ケース７の前後両側も円弧状に形成されるので、照明具１をその長手方向に沿った中心軸の回りで回動させ、アーム型取付部材２０に対し照明具１の取付角度を、前後に傾斜可能に取り付けることができる。
【００５０】
上記構成のアーム型取付部材２０を照明具１の両端部近傍に嵌着する場合、その挟持部２２の１対の挟持片２２ａ，２２ａを、照明具１の外ケース７の端部から挿入する。このとき、挟持片２２ａ，２２ａの内側に突設された突条２３を外ケース７の外側面の係合溝７ａに嵌合するように嵌め込み、挟持片２２ａ，２２ａで外ケース７を挟持した挟持部２２を、照明具１に対し軸方向に摺動させるようにする。
【００５１】
これにより、図１１に示すように、照明具１の任意の位置に、アーム型取付部材２０を取り付けることができる。なお、挟持部２２の挟持片２２ａに充分なばね弾性がある場合、挟持部２２を照明具１の端部から差し込む代わりに、照明具１の外ケース７の上側から挟持片２２ａを開口させて弾性変形させながら、挟持部２２を外ケース７の外側に嵌合させて挟持させることもできる。
【００５２】
このように、アーム型取付部材２０は、照明具１の外ケース７の係合溝７ａにその挟持部２２の突条２３を係合させて摺動可能となっているため、実際に装着する陳列棚の棚受け３１，３１間のピッチに合わせて、アーム型取付部材２０の取付位置を任意の位置に摺動させて調整することができる。
【００５３】
アーム型取付部材２０付き照明具１は、図１２に示すように、商品陳列棚の棚受け３１、３１の先端部分に、アーム型取付部材２０のアーム状棚受け嵌合部２１を上から嵌め込むように、つまりスリット溝２１ａ内に棚受け３１の上縁部を挿入するように嵌着する。このとき、舌状係止部２５が図示しない棚受け３１の係合凹部に係止され、所定位置でアーム状棚受け嵌合部２１は嵌着されるが、舌状係止部に代えてナットなどのめねじ穴をアーム状棚受け嵌合部２１の一部に設けておけば、そのめねじ穴に固定ねじをねじ込み、棚受け３１に対しアーム状棚受け嵌合部２１を締付固定することもできる。このような固定ねじを用いて棚受け３１に対しアーム状棚受け嵌合部２１を締付固定する場合、アーム状棚受け嵌合部２１を棚受け３１に対し先端位置よりさらに前方に突き出すように取り付けることもできる。
【００５４】
このように、陳列棚用照明具であるアーム型取付部材２０付き照明具１は、棚受け３１、３１の先端部に、簡単に水平状態を保持して取り付けることができ、棚板３２が棚受け３１、３１間上に、水平に取り付けられる。このとき、棚板３２の前部は、図１２に示すように、アーム型取付部材２０の上部の平坦部２１ｂ上に載置され、その前縁部はアーム型取付部材２０の上前端部に立設された当接部２４に当接し、棚板３２の後部の端部と棚受け３１の間には、スペーサ３１ａが取り付けられ、棚板３２は棚受け３１上のアーム型取付部材２０とスペーサ３１ａ上に水平に保持される。
【００５５】
一方、照明具１をその長手方向に沿った中心軸の回りで回動させて、アーム型取付部材２０に対し照明具１の取付角度を前後に変え、傾斜させて取り付ける場合、挟持部２２の内側で照明具１の前部を下に或いは上に変えて取り付ける。上述のように、両側の挟持片２２ａの内側面は、側面視を円弧状に形成され、その円弧に対応して、照明具１の外ケース７の前後両側も円弧状に形成され、複数の係合溝７ａとそれらと係合可能な複数の突条２３が設けられているので、照明具１をその長手方向に沿った中心軸の回りで回動させ、アーム型取付部材２０に対し照明具１の取付角度を、その前部を下に或いは上に変えて取り付けることができる。これにより、照明具１のＬＥＤ３の光照射方向が真下から斜め後方に或いは斜め前方に向けられ、陳列棚の商品の状態に合わせて、照明を行うことができる。
【００５６】
陳列棚の使用時、照明具１のＬＥＤ灯具２が点灯されると、上記と同様に、ＬＥＤ灯具２のＬＥＤ３から照射された白色光が照明具１の細い開口部から下方に向けて放射され、下側の棚板３２上の商品を照明する。ＬＥＤ灯具２から照射される白色光はＬＥＤ３の前面から効率良く放射され、高い輝度で下方の棚板上の商品を照明し、陳列品の陳列効果を向上させることができる。
【００５７】
さらに、ＬＥＤ灯具２から放射された高輝度の白色光は、上記と同様に、その下方の開口部に嵌着された透明板１７を通して放射される際、透明板１７に設けられた透明突条部１７ａにその照明光が入射し、直角三角形断面の透明突条部１７ａにおける斜辺部に対応した斜面の着色透光シート１７ｂを通して着色光が出射され、照明具１の正面に、美しく光る色彩光ラインが発生する。これにより、陳列棚の方向を見た顧客の視線は、この色彩光ラインに効果的に捉えられ、アイキャッチ効果を良好に発揮し、顧客の注意を惹くことができる。
【符号の説明】
【００５８】
１      照明具
２      ＬＥＤ灯具
２ｂ    コネクタ
２ｃ    コネクタ
３      ＬＥＤ
４      回路基板
５      内ケース
７      外ケース
７ａ    係合溝
９      コネクタケース
９ａ    コネクタカバー
１０    取付部材
１１    棚受け嵌合部
１２    挟持部
１２ａ  挟持片
１３    突条
１７    透明板
１７ａ  透明突条部
１７ｂ  着色透光シート
【図１】
2010213923.tif 000003
【図２】
2010213923.tif 000004
【図３】
2010213923.tif 000005
【図４】
2010213923.tif 000006
【図５】
2010213923.tif 000007
【図６】
2010213923.tif 000008
【図７】
2010213923.tif 000009
【図８】
2010213923.tif 000010
【図９】
2010213923.tif 000011
【図１０】
2010213923.tif 000012
【図１１】
2010213923.tif 000013
【図１２】
2010213923.tif 000014
【図１３】
2010213923.tif 000015